(57)【要約】【課題】硬質樹脂製でも分岐筒部の屈曲角度の自由度を向上させることができ、かつ、ワヤハーネスの分岐部分を確実に保護することができるワイヤハーネス用の電線保護チューブを提供する。【解決手段】ワイヤハーネス用の電線保護チューブ１０であって、硬質樹脂製で、ワイヤハーネスＷの幹線Ｗａの外周を覆うチューブ本体１１と、チューブ本体１１から分岐してワイヤハーネスＷの幹線Ｗａから分岐する支線Ｗｂの外周を覆う分岐筒部１２とを一体に備え、この分岐筒部１２の基端１２ａから開口端１２ｃ側にかけてその周方向全体に該分岐筒部１２を弾性的に３次元方向に屈曲させる蛇腹状可撓部１４を一体形成した。【選択図】図１
2019146290.tif 000002
【特許請求の範囲】
【請求項１】
硬質樹脂製で、ワイヤハーネスの幹線の外周を覆うチューブ本体と、
前記チューブ本体から分岐して前記ワイヤハーネスの幹線から分岐する支線の外周を覆う分岐筒部とを一体に備え、
前記分岐筒部の少なくとも弾性的に屈曲する方向の部分に蛇腹状可撓部を設けたことを特徴とするワイヤハーネス用の電線保護チューブ。
【請求項２】
請求項１記載のワイヤハーネス用の電線保護チューブであって、
前記蛇腹状可撓部は、前記分岐筒部の基端から開口端側にかけて該分岐筒部の周方向全体に設けられていることを特徴とするワイヤハーネス用の電線保護チューブ。
【請求項３】
請求項１記載のワイヤハーネス用の電線保護チューブであって、
前記蛇腹状可撓部は、前記分岐筒部の基端の一部を除いて該基端から開口端側にかけて該分岐筒部の周方向に設けられていることを特徴とするワイヤハーネス用の電線保護チューブ。
【請求項４】
請求項１〜３のいずれか１項に記載のワイヤハーネス用の電線保護チューブであって、
前記チューブ本体に前記分岐筒部が複数設けられていることを特徴とするワイヤハーネス用の電線保護チューブ。
【請求項５】
幹線が硬質樹脂製のチューブ本体で覆われ、かつ、前記幹線から分岐する支線が前記チューブ本体から一体に分岐形成されて少なくとも弾性的に屈曲する方向の部分に蛇腹状可撓部を有した分岐筒部で覆われていることを特徴とするワイヤハーネス。
【発明の詳細な説明】
【技術分野】
【０００１】
本発明は、ワイヤハーネスの幹線と支線を保護するワイヤハーネス用の電線保護チューブ及びワイヤハーネスに関する。
【背景技術】
【０００２】
この種のワイヤハーネス用の電線保護チューブとして、特許文献１に開示されたものがある。この電線保護チューブ１は、図７（ａ）〜（ｃ）に示すように、樹脂製で、ワイヤハーネスＷの幹線Ｗａの外周を覆う蛇腹形状をなした幹線筒部２と、ワイヤハーネスＷの幹線Ｗａから分岐する支線Ｗｂの外周を覆う円筒状の分岐筒部３とを一体に備えている。
【０００３】
この電線保護チューブ１の円筒状の分岐筒部３の基端３ａと開口端３ｂ間の壁は、湾曲自在な屈曲自在部４になっていている。そして、図７（ｃ）に示すように、支線Ｗｂが分岐筒部３の開口端３ｂのエッジ３ｃに接触したときに、エッジ３ｃが支線Ｗｂを押圧する力を軽減するように屈曲自在部４が弾性的に屈曲するようになっている。
【先行技術文献】
【特許文献】
【０００４】
【特許文献１】特開２０１６−１９３４４号公報
【特許文献２】特開２００９−２４００６２号公報
【発明の概要】
【発明が解決しようとする課題】
【０００５】
しかしながら、前記従来の電線保護チューブ１では、エッジ３ｃが支線Ｗｂを押圧する力を軽減させるために屈曲自在部４を弾性的に屈曲させるには、電線保護チューブ１を、例えば引張弾性率８００ＭＰａ以下の軟質樹脂で成形しなければならず、この場合には、分岐筒部３の肉厚を厚く成形しないと、金属バリ等による強い干渉物からワイヤハーネスＷを保護することが難しく、分岐筒部３の肉厚を厚くすると、重量増、または、経路制約上、適用箇所が制限されてしまう。さらに、電線保護チューブ１を硬質樹脂で成形した場合には、屈曲自在部４を弾性的に屈曲させることが難しく、支線Ｗｂの分岐方向は一方向に制限される。
【０００６】
そこで、本発明は、前記した課題を解決すべくなされたものであり、硬質樹脂製でも分岐筒部の屈曲（分岐）角度の自由度を向上させることができ、かつ、ワヤハーネスの分岐部分を確実に保護することができるワイヤハーネス用の電線保護チューブ及びワイヤハーネスを提供することを目的とする。
【課題を解決するための手段】
【０００７】
本発明は、ワイヤハーネスを保護するワイヤハーネス用の電線保護チューブであって、質樹脂製で、ワイヤハーネスの幹線の外周を覆うチューブ本体と、前記チューブ本体から分岐して前記ワイヤハーネスの幹線から分岐する支線の外周を覆う分岐筒部とを一体に備え、前記分岐筒部の少なくとも弾性的に屈曲する方向の部分に蛇腹状可撓部を設けたことを要旨とする。
【発明の効果】
【０００８】
本発明によれば、硬質樹脂製の１部品でも分岐筒部の屈曲角度の自由度を向上させることができ、かつ、ワヤハーネスの分岐部分を確実に保護することができる。
【図面の簡単な説明】
【０００９】
【図１】本発明の第１実施形態のワイヤハーネス用の電線保護チューブを示す平面図である。
【図２】上記電線保護チューブの分岐筒部を一方の方向に曲げた状態を示す平面図である。
【図３】上記電線保護チューブの分岐筒部を他方の反対側の方向に曲げた状態を示す平面図である。
【図４】本発明の第２実施形態のワイヤハーネス用の電線保護チューブを示す平面図である。
【図５】上記第２実施形態の電線保護チューブの分岐筒部の蛇腹状可撓部を折り畳んだ状態を示す平面図である。
【図６】本発明の第３実施形態のワイヤハーネス用の電線保護チューブを示す平面図である。
【図７】（ａ）は従来のワイヤハーネス用の電線保護チューブを示す平面図、（ｂ）は同電線保護チューブの断面図、（ｃ）は同電線保護チューブの分岐筒部周辺の断面図である。
【発明を実施するための形態】
【００１０】
以下、本発明の実施形態を図面に基づいて説明する。
【００１１】
図１は本発明の第１実施形態のワイヤハーネス用の電線保護チューブを示す平面図、図２同電線保護チューブの分岐筒部を一方の方向に曲げた状態を示す平面図、図３は同電線保護チューブの分岐筒部を他方の反対側の方向に曲げた状態を示す平面図である。
【００１２】
図１〜図３に示すように、ワイヤハーネス用の電線保護チューブ１０は、硬質樹脂（例えば引張弾性率８００ＭＰａから２０００ＭＰａ）のダイレクトブロー成形等により形成され、ワイヤハーネスＷの幹線Ｗａの外周を覆う円筒状のチューブ本体１１と、このチューブ本体１１から分岐してワイヤハーネスＷの幹線Ｗａから分岐する支線Ｗｂの外周を覆う円筒状の分岐筒部１２と、を一体に備えている。
【００１３】
図１に示すように、分岐筒部１２の基端１２ａから開口端１２ｃ側にかけてその周方向全体に該分岐筒部１２を弾性的に３次元方向に屈曲させる蛇腹状可撓部１４を一体形成してある。この蛇腹状可撓部１４は、軸方向に沿って山部１４ａと谷部１４ｂを交互に複数形成した湾曲自在で伸縮の自由度も備えたものであり、チューブ本体１１に対して分岐筒部１２を弾性的に３次元方向に傾倒させるものである。即ち、図２と図３に示すように、分岐筒部１２の基端１２ａから開口端１２ｃ側にかけて蛇腹状可撓部１４を一体形成したことにより、電線保護チューブ１０が硬質樹脂で成形された１部品のものであっても、分岐筒部１２を蛇腹状可撓部１４を介して３次元的に分岐（屈曲）角度を変化させることができて、その分岐方向の自由度を確保することができ、かつ、金属バリ等による外部からの強い干渉に対する保護機能をも確保することができるものである。尚、図中符号１２ｂは、分岐筒部１２において蛇腹状可撓部１４を形成していない部分を示す。
【００１４】
また、ワイヤハーネスＷは、複数本の電線を束ねた幹線Ｗａと、この幹線Ｗａを構成する電線の一部を幹線ＷＡａから分岐させた支線Ｗｂとからなり、幹線Ｗａが電線保護チューブ１０のチューブ本体１１により外装され、支線Ｗｂがチューブ本体１１より分岐した分岐筒部１２により外装されてその開口端１２ｃより外へ露出するようになっている。
【００１５】
以上第１実施形態のワイヤハーネス用の電線保護チューブ１０によれば、チューブ本体１１より分岐した分岐筒部１２を蛇腹状可撓部１４を介して３次元方向に屈曲できるようにして、その分岐方向の自由度を向上させることができ、かつ、ワイヤハーネスＷの分岐部分を確実に保護することができる。
【００１６】
即ち、分岐筒部１２の基端１２ａから開口端１２ｃ側にかけてその周方向全体に蛇腹状可撓部１４を一体形成したことによって、分岐筒部１２を蛇腹状可撓部１４で３次元的に分岐角度を変化させることを可能とすることで、金属バリ等による外部からの強い干渉に対する保護機能との両立を１部品にて実現することができる。また、分岐方向違いの品番を設定する必要がなく、金型費の削減及び汎用化に繋げることができる。
【００１７】
図４は本発明の第２実施形態のワイヤハーネス用の電線保護チューブを示す平面図、図５は同電線保護チューブの分岐筒部の蛇腹状可撓部を折り畳んだ状態を示す平面図である。
【００１８】
この第２実施形態のワイヤハーネス用の電線保護チューブ１０′は、分岐筒部１３の基端１３ａの一部（図４中符号Ａで示す基端１３ａの左端側）を除いて該基端１３ａから開口端１３ｃ側にかけてその周方向に該分岐筒部１３を一方向にその分岐角度を可変させて屈曲させる蛇腹状可撓部１４を一体形成してある点が前記第１実施形態と異なる。尚、前記第１実施形態と同様に、ワイヤハーネスＷの幹線ＷＡａから分岐させた支線Ｗｂは、チューブ本体１１に一体形成された分岐筒部１３の開口端１３ｃから外へ露出するようになっている。また、図中符号１３ｂは、分岐筒部１３において蛇腹状可撓部１４を形成していない部分を示す。
【００１９】
この第２実施形態のワイヤハーネス用の電線保護チューブ１０′では、分岐筒部１３の基端１３ａの一部にあえて蛇腹状可撓部１４を設けない箇所を設けることにより、分岐筒部１３の曲がる方向を規制することができる。即ち、図５に示すように、分岐筒部１３の基端１３ａの一部から開口端１３ｃ側にかけて一体形成された蛇腹状可撓部１４を折り畳むことができるが、図４に示す方向とは反対の方向には、分岐筒部１３を曲げることができない。また、蛇腹状可撓部１４の交互に形成された複数の山部１４ａと谷部１４ｂの形状により、分岐筒部１３の曲がる最大角度を設定することができる。
【００２０】
図６は本発明の第３実施形態のワイヤハーネス用の電線保護チューブを示す平面図である。
【００２１】
この第３実施形態のワイヤハーネス用の電線保護チューブ１０″は、チューブ本体１１に２つの分岐筒部１２，１３が一体突出形成されている。この一方の分岐筒部１２には、前記第１実施形態と同様に、基端１２ａから開口端１２ｃ側にかけてその周方向全体に該分岐筒部１２を弾性的に３次元方向に屈曲させる蛇腹状可撓部１４を一体形成してあり、前記第１実施形態と同様の作用・効果を奏する。
【００２２】
また、他方の分岐筒部１３には、前記第２実施形態と同様に、分岐筒部１３の基端１３ａの一部を除いて該基端１３ａから開口端１３ｃ側にかけてその周方向に該分岐筒部１３を一方向にその分岐角度を可変させて屈曲させる蛇腹状可撓部１４を一体形成してあり、前記第２実施形態と同様の作用・効果を奏する。
【００２３】
尚、幹線の外周を覆うチューブ本体が、蛇腹形状であると、ワイヤハーネスとして、直線性を確保する場合、新たに形状保持する部材が必要となるが、蛇腹のないストレート形状ですることにより、新たに形状保持する部材が不要となる。
【００２４】
また、前記各実施形態によれば、チューブ本体及び分岐筒部を円筒状に一体形成したが、円筒状のチューブ本体及び分岐筒部の中央に長手方向に沿って取付用のリットをそれぞれ入れて半割り状に形成してワイヤハーネスを装着し易くしても良い。この場合、ワイヤハーネスを装着した後は、ロック構造を設けておいて装着状態をロックすれば良い。
【符号の説明】
【００２５】
１０，１０′，１０″  電線保護チューブ
１１  チューブ本体
１２  分岐筒部
１２ａ  基端
１２ｃ  開口端
１３  分岐筒部
１３ａ  基端
１３ｃ  開口端
１４  蛇腹状可撓部
Ｗ  ワイヤハーネス
Ｗａ  幹線
Ｗｂ  支線
【図１】
2019146290.tif 000003
【図２】
2019146290.tif 000004
【図３】
2019146290.tif 000005
【図４】
2019146290.tif 000006
【図５】
2019146290.tif 000007
【図６】
2019146290.tif 000008
【図７】
2019146290.tif 000009